(57)【要約】【課題】使用者に快適な音場を提供することができるプロジェクタの提供。【解決手段】プロジェクタ１は、各スピーカによる音場を調整する音場調整手段１２と、プロジェクタの設置位置に係る設置位置情報と、各スピーカ３４１，３４２，３６１，３６２による音場を調整するための音場調整情報とを関連づけて記憶する記憶手段１３と、制御手段１４とを備える。制御手段１４は、設置位置情報を取得する設置位置情報取得部１４１と、設置位置情報取得部１４１により取得される設置位置情報に関連付けられた音場調整情報を記憶手段１３から取得する音場調整情報取得部１４２と、音場調整情報取得部１４２により取得される音場調整情報に基づいて、各スピーカ３４１，３４２，３６１，３６２による音場を音場調整手段１２に調整させる音場制御部１４３とを備える。【選択図】図３
2009027345.tif 000002
【特許請求の範囲】
【請求項１】
光源から射出された光を、入力される画像情報に応じて変調して光学像を形成する光変調装置と、形成した光学像を拡大投射する投射光学装置と、入力される音声情報に応じて音声を出力する複数のスピーカとを備えるプロジェクタであって、
前記複数のスピーカによる音場を調整する音場調整手段と、
前記プロジェクタの設置位置に係る設置位置情報と、前記音場を調整するための音場調整情報とを関連付けて記憶する記憶手段と、
前記プロジェクタを制御する制御手段とを備え、
前記制御手段は、
前記プロジェクタの設置位置に係る設置位置情報を取得する設置位置情報取得部と、
前記設置位置情報取得部により取得される設置位置情報に関連付けられた前記音場調整情報を前記記憶手段から取得する音場調整情報取得部と、
前記音場調整情報取得部により取得される音場調整情報に基づいて、前記音場を前記音場調整手段に調整させる音場制御部とを備えることを特徴とするプロジェクタ。
【請求項２】
請求項１に記載のプロジェクタにおいて、
前記音場調整手段は、
前記音声情報を信号処理して前記複数のスピーカから出力される音声の音量を調整することで、前記音場を調整することを特徴とするプロジェクタ。
【請求項３】
請求項１または請求項２に記載のプロジェクタにおいて、
前記音場調整手段は、
前記複数のスピーカに入力される音声情報を切り替えることで、前記音場を調整することを特徴とするプロジェクタ。
【請求項４】
請求項１から請求項３のいずれかに記載のプロジェクタにおいて、
前記音場調整手段は、
前記複数のスピーカの姿勢を変更して前記複数のスピーカから出力される音声の放音方向を変更することで、前記音場を調整することを特徴とするプロジェクタ。
【請求項５】
請求項１から請求項４のいずれかに記載のプロジェクタにおいて、
前記音場調整手段は、
前記音声情報を信号処理して前記複数のスピーカから出力される音声の音質を調整することで、前記音場を調整することを特徴とするプロジェクタ。
【請求項６】
請求項１から請求項５のいずれかに記載のプロジェクタにおいて、
前記音場調整手段は、
前記音声情報を信号処理して前記複数のスピーカから出力される音声の位相を調整することで、前記音場を調整することを特徴とするプロジェクタ。
【請求項７】
請求項１から請求項６のいずれかに記載のプロジェクタにおいて、
前記設置位置情報を入力可能とする操作手段を備えることを特徴とするプロジェクタ。
【請求項８】
請求項１から請求項７のいずれかに記載のプロジェクタにおいて、
前記設置位置情報は、
前記プロジェクタの設置位置と、前記プロジェクタの使用者の位置との相対位置に係る相対位置情報により構成されることを特徴とするプロジェクタ。
【請求項９】
請求項１から請求項７のいずれかに記載のプロジェクタにおいて、
前記設置位置情報は、
前記プロジェクタが設置される屋内空間の形状および大きさに係る屋内空間情報と、
前記屋内空間における前記プロジェクタの設置位置に係るプロジェクタ位置情報と、
前記屋内空間における前記プロジェクタの使用者の位置に係る使用者位置情報とにより構成されることを特徴とするプロジェクタ。
【請求項１０】
光源から射出された光を、入力される画像情報に応じて変調して光学像を形成する光変調装置と、形成した光学像を拡大投射する投射光学装置と、入力される音声情報に応じて音声を出力する複数のスピーカとを備えるプロジェクタの音場調整方法であって、
前記複数のスピーカによる音場を調整する音場調整手段と、
前記プロジェクタの設置位置に係る設置位置情報と、前記音場を調整するための音場調整情報とを関連付けて記憶する記憶手段と、
前記プロジェクタを制御する制御手段とを備え、
前記制御手段が、
前記プロジェクタの設置位置に係る設置位置情報を取得する設置位置情報取得ステップと、
前記設置位置情報取得ステップにより取得される設置位置情報に関連付けられた前記音場調整情報を前記記憶手段から取得する音場調整情報取得ステップと、
前記音場調整情報取得ステップにより取得される音場調整情報に基づいて、前記音場を前記音場調整手段に調整させる音場制御ステップとを実行することを特徴とする音場調整方法。
【発明の詳細な説明】
【技術分野】
【０００１】
本発明は、プロジェクタおよび音場調整方法に関する。
【背景技術】
【０００２】
従来、光源から射出された光を、入力される画像情報に応じて変調して光学像を形成する光変調装置と、形成した光学像を拡大投射する投射光学装置と、入力される音声情報に応じて音声を出力する一対のスピーカとを備えるプロジェクタが知られている（例えば、特許文献１参照）。
特許文献１に記載のプロジェクタは、画像投写装置と、ＤＶＤ（Digital Versatile Disk）再生装置とを備え、画像投写装置およびＤＶＤ再生装置は回転および傾斜可能に構成されている。このプロジェクタは、画像投写装置およびＤＶＤ再生装置の回転を検出するロータリーエンコーダと、傾斜を検出する傾斜センサとを備え、各センサの検出結果に基づいて、各スピーカに入力される音声情報、および各スピーカの放音方向を切り替えている。ここで、音声情報および放音方向は、ＤＶＤ挿抜口の方向に使用者が居るものとして切り替えられている。したがって、ＤＶＤ挿抜口の方向に使用者が居る場合には、使用者は良好な音声を聞くことができる。
【０００３】
【特許文献１】特開２００５−７７９１２号公報
【発明の開示】
【発明が解決しようとする課題】
【０００４】
しかしながら、特許文献１に記載のプロジェクタでは、ＤＶＤ挿抜口の方向に使用者が居ない場合には、使用者は良好な音声を聞くことができないという問題がある。
【０００５】
本発明の目的は、使用者に快適な音場を提供することができるプロジェクタおよび音場調整方法を提供することにある。
【課題を解決するための手段】
【０００６】
本発明のプロジェクタは、光源から射出された光を、入力される画像情報に応じて変調して光学像を形成する光変調装置と、形成した光学像を拡大投射する投射光学装置と、入力される音声情報に応じて音声を出力する複数のスピーカとを備えるプロジェクタであって、前記複数のスピーカによる音場を調整する音場調整手段と、前記プロジェクタの設置位置に係る設置位置情報と、前記音場を調整するための音場調整情報とを関連付けて記憶する記憶手段と、前記プロジェクタを制御する制御手段とを備え、前記制御手段は、前記プロジェクタの設置位置に係る設置位置情報を取得する設置位置情報取得部と、前記設置位置情報取得部により取得される設置位置情報に関連付けられた前記音場調整情報を前記記憶手段から取得する音場調整情報取得部と、前記音場調整情報取得部により取得される音場調整情報に基づいて、前記音場を前記音場調整手段に調整させる音場制御部とを備えることを特徴とする。
【０００７】
このような構成によれば、音場制御部は、設置位置情報取得部により取得された設置位置情報に関連付けられた音場調整情報に基づいて、複数のスピーカによる音場を音場調整手段に調整させるので、使用者の居る場所に良好な音声が出力されるように、設置位置情報および音場調整情報を記憶手段に関連付けて記憶することにより、使用者に快適な音場を提供することができる。
なお、設置位置情報取得部は、例えば、使用者からの操作入力により、プロジェクタの設置位置に係る設置位置情報を取得するように構成してもよく、また、センサなどを用いて自動的に設置位置情報を取得するように構成してもよい。
【０００８】
本発明では、前記音場調整手段は、前記音声情報を信号処理して前記複数のスピーカから出力される音声の音量を調整することで、前記音場を調整することが好ましい。
ここで、複数のスピーカから音声を出力する場合には、使用者に対する各スピーカの距離が異なる。このため、使用者との距離が近いスピーカから出力される音声の音量を、使用者との距離が遠いスピーカから出力される音声の音量と比較して小さくするなどして、使用者の居る場所において、各スピーカから出力される音声の音量が均一となるように音量を調整することで使用者に快適な音場を提供することができるとされている。
【０００９】
また、プロジェクタの設置位置が変わると、使用者に対する複数のスピーカの距離が変わることとなるので、各スピーカから出力される音声の音量が固定されていると、使用者の居る場所において、各スピーカから出力される音声の音量が均一とならない場合がある。
このような構成によれば、音場制御部は、設置位置情報取得部により取得された設置位置情報に関連付けられた音場調整情報に基づいて、各スピーカから出力される音声の音量を音場調整手段に調整させることができるので、使用者に快適な音場を提供することができる。
【００１０】
本発明では、前記音場調整手段は、前記複数のスピーカに入力される音声情報を切り替えることで、前記音場を調整することが好ましい。
ここで、例えば、一対のスピーカから構成されるステレオシステムは、使用者の左側にあるスピーカから音声を出力するための音声情報と、右側にあるスピーカから音声を出力するための音声情報とに基づいて、一対のスピーカからそれぞれ異なる音声を出力する。すなわち、使用者に対する各スピーカの位置に応じた各音声情報に基づいて、各スピーカからそれぞれ異なる音声を出力する。
また、例えば、３つ以上の複数のスピーカから構成されるサラウンドシステムにおいても、ステレオシステムと同様に、使用者に対する各スピーカの位置に応じた各音声情報に基づいて、各スピーカからそれぞれ異なる音声を出力する。
これにより、ステレオシステム、およびサラウンドシステムの使用者は、臨場感のある音声を聴くことができる。
【００１１】
しかしながら、プロジェクタの設置位置が変わると、使用者に対する各スピーカの位置も変わることとなる。
このような構成によれば、音場制御部は、設置位置情報取得部により取得された設置位置情報に関連付けられた音場調整情報に基づいて、各スピーカに入力される音声情報を音場調整手段に切り替えさせることができるので、使用者に快適な音場を提供することができる。
【００１２】
本発明では、前記音場調整手段は、前記複数のスピーカの姿勢を変更して前記複数のスピーカから出力される音声の放音方向を変更することで、前記音場を調整することが好ましい。
ここで、複数のスピーカから音声を出力する場合には、使用者に対する各スピーカの位置が異なるので、使用者の居る方向に各スピーカから出力される音声の放音方向を向けることで、使用者に快適な音場を提供することができるとされている。
また、プロジェクタの設置位置が変わると、使用者に対する複数のスピーカの位置が変わることとなるので、各スピーカから出力される音声の放音方向が固定されていると、使用者の居る方向に各スピーカから出力される音声の放音方向を向けることができない場合がある。
このような構成によれば、音場制御部は、設置位置情報取得部により取得された設置位置情報に関連付けられた音場調整情報に基づいて、各スピーカから出力される音声の放音方向を音場調整手段に変更させることができるので、使用者に快適な音場を提供することができる。
【００１３】
本発明では、前記音場調整手段は、前記音声情報を信号処理して前記複数のスピーカから出力される音声の音質を調整することで、前記音場を調整することが好ましい。
ここで、音声の音質は、音声における各周波数帯のゲインに基づくものであり、音声の音質を調整するとは、例えば、イコライザにて低音（低周波数）領域のゲインを調整したり、高音（高周波数）領域のゲインを調整したりすることで、低音強調および高音強調などをすることをいう。
なお、低音領域の音声は、指向性が低く、人間の耳では音源の方向を特定することが難しく、高音領域の音声は、指向性が高く、人間の耳で音源の方向を特定することが容易であるという特性がある。
【００１４】
また、プロジェクタの設置位置が変わると、使用者に対する複数のスピーカの位置が変わることとなるので、各スピーカから出力される音声の音質が固定されていると、例えば、使用者との距離が近いスピーカから高音強調された音声が出力される場合など、使用者にとって不快な音場を提供する場合がある。
このような構成によれば、音場制御部は、設置位置情報取得部により取得された設置位置情報に関連付けられた音場調整情報に基づいて、各スピーカから出力される音声の音質を音場調整手段に調整させることができるので、使用者に快適な音場を提供することができる。
【００１５】
本発明では、前記音場調整手段は、前記音声情報を信号処理して前記複数のスピーカから出力される音声の位相を調整することで、前記音場を調整することが好ましい。
ここで、複数のスピーカから音声を出力する場合には、使用者に対する各スピーカの距離が異なる。このため、使用者との距離が近いスピーカから出力される音声の位相を、使用者との距離が遠いスピーカから出力される音声の位相と比較して遅らせる、いわゆるタイムアラインメントを実行するなどして、使用者の居る場所において、各スピーカから出力される音声が略同時に到達するように位相を調整することで使用者に快適な音場を提供することができるとされている。
【００１６】
また、プロジェクタの設置位置が変わると、使用者に対する複数のスピーカの距離が変わることとなるので、各スピーカから出力される音声の位相が固定されていると、使用者の居る場所において、各スピーカから出力される音声の位相がずれて到達する場合がある。
このような構成によれば、音場制御部は、設置位置情報取得部により取得された設置位置情報に関連付けられた音場調整情報に基づいて、各スピーカから出力される音声の位相を音場調整手段に調整させることができるので、使用者に快適な音場を提供することができる。
【００１７】
本発明では、前記設置位置情報を入力可能とする操作手段を備えることを特徴とすることが好ましい。
このような構成によれば、設置位置情報取得部は、使用者が操作手段にて設置位置情報を入力することにより、設置位置情報を取得することができる。したがって、例えば、センサなどを用いて自動的に設置位置情報を取得するように構成する場合と比較して、プロジェクタの構成を簡素化することができ、製造コストを低減させることができる。
【００１８】
本発明では、前記設置位置情報は、前記プロジェクタの設置位置と、前記プロジェクタの使用者の位置との相対位置に係る相対位置情報により構成されることが好ましい。
このような構成によれば、設置位置情報は、相対位置情報により構成されるので、設置位置情報取得部は、プロジェクタに対する使用者の位置を確実に取得することができる。したがって、音場制御部は、使用者に更に快適な音場を提供することができる。
【００１９】
本発明では、前記設置位置情報は、前記プロジェクタが設置される屋内空間の形状および大きさに係る屋内空間情報と、前記屋内空間における前記プロジェクタの設置位置に係るプロジェクタ位置情報と、前記屋内空間における前記プロジェクタの使用者の位置に係る使用者位置情報とにより構成されることが好ましい。
【００２０】
このような構成によれば、設置位置情報は、屋内空間情報と、プロジェクタ位置情報と、使用者位置情報とにより構成されるので、音場制御部は、例えば、屋内空間における壁などに反射する音声をも考慮して音場を音場調整手段に調整させることができ、使用者に更に快適な音場を提供することができる。
【００２１】
本発明の音場調整方法は、光源から射出された光を、入力される画像情報に応じて変調して光学像を形成する光変調装置と、形成した光学像を拡大投射する投射光学装置と、入力される音声情報に応じて音声を出力する複数のスピーカとを備えるプロジェクタの音場調整方法であって、前記複数のスピーカによる音場を調整する音場調整手段と、前記プロジェクタの設置位置に係る設置位置情報と、前記音場を調整するための音場調整情報とを関連付けて記憶する記憶手段と、前記プロジェクタを制御する制御手段とを備え、前記制御手段が、前記プロジェクタの設置位置に係る設置位置情報を取得する設置位置情報取得ステップと、前記設置位置情報取得ステップにより取得される設置位置情報に関連付けられた前記音場調整情報を前記記憶手段から取得する音場調整情報取得ステップと、前記音場調整情報取得ステップにより取得される音場調整情報に基づいて、前記音場を前記音場調整手段に調整させる音場制御ステップとを実行することを特徴とする。
このような構成によれば、前述したプロジェクタと同様の作用効果を奏することができる。
【発明を実施するための最良の形態】
【００２２】
〔第１実施形態〕
以下、本発明の一実施形態を図面に基づいて説明する。
〔プロジェクタの概略構成〕
図１は、プロジェクタ１を前方側から見た斜視図であり、図２は、プロジェクタ１を後方側から見た斜視図である。なお、図１および図２では、説明の便宜上、プロジェクタ１の後方側から前方側に向かう方向をＸ軸とし、このＸ軸に直交する２軸をそれぞれＹ軸（水平軸）およびＺ軸（垂直軸）とする。
プロジェクタ１は、図１および図２に示すように、光源から射出された光を、入力される画像情報に応じて変調して光学像を形成し、形成した光学像を拡大投射するプロジェクタ本体２と、プロジェクタ本体２に画像情報を出力するＤＶＤプレーヤー３とを備える。なお、プロジェクタ１の内部構成については後に詳述する。
【００２３】
プロジェクタ本体２は、図１および図２に示すように、ＤＶＤプレーヤー３の上方側（＋Ｚ軸方向側）に載置され、略直方体状に形成された上方側筐体２１と、上方側筐体２１の前面（＋Ｘ軸方向側の面）に露出する投射レンズ２２と、上方側筐体２１の上面（＋Ｚ軸方向側の面）の後方側（−Ｘ軸方向側）に設けられた操作手段としての操作パネル２３とを備える。この操作パネル２３は、使用者に操作されることで受信部（図示略）を介して後述する制御手段１４に操作信号を出力し、この操作信号に基づいて、プロジェクタ１の起動・調整等の操作およびＤＶＤプレーヤー３の再生・停止等の操作を実施するためのものである。ＤＶＤプレーヤー３は、このＤＶＤ操作パネル２３が操作されることで、ＤＶＤプレーヤー３に挿入されたＤＶＤ等の記録媒体に記録された画像情報や、音声情報等の再生・停止等を実施する。
【００２４】
ＤＶＤプレーヤー３は、ＤＶＤ等の記録媒体を再生することで、記録媒体に記録された画像情報を、画像ケーブル（図示略）を介してプロジェクタ本体２に出力するものである。このＤＶＤプレーヤー３は、図１および図２に示すように、プロジェクタ本体２の下方側（−Ｚ軸方向側）に配置され、略直方体状に形成された下方側筐体３１と、下方側筐体３１の前面の略中央部分に設けられたＤＶＤ挿抜口３２と、ＤＶＤ挿抜口３２の下方側に設けられたＤＶＤ動作表示部３３と、このＤＶＤ動作表示部３３の両側に取り付けられたスピーカカバー３４１Ａ，３４２Ａと、下方側筐体３１の背面（−Ｘ軸方向側の面）に設けられたインタフェースカバー３４およびインレットコネクタ３５と、インタフェースカバー３４およびインレットコネクタ３５の両側に取り付けられたスピーカカバー３６１Ａ，３６２Ａとを備える。
【００２５】
ＤＶＤ挿抜口３２は、ＤＶＤ等の記録媒体が挿抜されるスロットインタイプの挿抜口であり、ＤＶＤプレーヤー３は、このＤＶＤ挿抜口３２に挿入された記録媒体に記録された画像情報や、音声情報等を再生する。また、ＤＶＤ挿抜口３２の側方には、記録媒体を排出する為の排出スイッチ３２Ａが取り付けられている。
ＤＶＤ動作表示部３３は、ＤＶＤプレーヤー３の再生・停止等の状態を表示する部分であり、使用者は、このＤＶＤ動作表示部３３を見ることで記録媒体の再生・停止等の状態を確認することができる。
【００２６】
各スピーカカバー３４１Ａ，３４２Ａ，３６１Ａ，３６２Ａは、内側に収納されるスピーカ３４１，３４２，３６１，３６２（図３参照）を保護するものである。各スピーカ３４１，３４２，３６１，３６２は、サラウンドシステムとして構成され、入力される音声情報に応じて音声を出力するものであり、例えば、ＤＶＤ挿抜口３２に挿入された記録媒体に記録された音声情報に基づく音声を出力する。また、スピーカカバー３４１Ａ，３４２Ａの内側に収納されるスピーカ３４１，３４２の放音方向は、＋Ｘ軸方向とされ、スピーカカバー３６１Ａ，３６２Ａの内側に収納されるスピーカ３６１，３６２の放音方向は、−Ｘ軸方向とされている。そして、各スピーカ３４１，３４２，３６１，３６２の姿勢は、それぞれ上下左右４５度に変更可能に構成され、放音方向を変更可能に構成されている。
【００２７】
インタフェースカバー３４の内部には、図示は省略するが、例えば、プロジェクタ１に外部から画像情報を入力するための画像入力端子などの各種インタフェースコネクタが設けられており、インタフェースカバー３４は、これらのインタフェースコネクタを保護する。そして、このインタフェースカバー３４を開放することで、各種インタフェースコネクタを利用することができる。なお、インタフェースカバー３４は省略してもよい。
インレットコネクタ３５は、ＡＣ電源ケーブルを外部から接続するためのコネクタであり、インタフェースカバー３４に覆われることなく露出している。
【００２８】
〔プロジェクタの内部構成〕
図３は、プロジェクタ１の内部構成を示すブロック図である。
プロジェクタ１は、図３に示すように、画像投射手段１１と、音場調整手段１２と、記憶手段１３と、制御手段１４とで概略構成されている。
画像投射手段１１は、光源から射出される光を画像情報に応じて変調して光学像を形成し、形成した光学像をスクリーンＳｃ等の投射面に拡大投射するものである。この画像投射手段１１は、光源装置１１１と、液晶パネル１１２と、前述した投射レンズ２２とを備える。
【００２９】
光源装置１１１は、高圧放電ランプにて構成される光源ランプ１１３を備え、光源ランプ１１３は、光を液晶パネル１１２に向けて射出する。なお、光源装置１１１は、光源ランプ１１３に代えて、発光ダイオード、レーザダイオード、有機ＥＬ素子等の各種自己発光素子を備えていてもよい。
光変調装置としての液晶パネル１１２は、透過型の液晶パネルであり、画像情報に基づいて、液晶セル（図示略）に封入された液晶分子の配列を変化させ、光源ランプ１１３から射出された光を、透過若しくは遮断することにより画像データに応じて変調して光学像を形成し、この光学像を投射レンズ２２に射出する。
【００３０】
投射光学装置としての投射レンズ２２は、筒状の鏡筒（図示略）内に複数のレンズが収納された組レンズとして構成され、液晶パネル１１２から射出された光学像をスクリーンＳｃに向けて拡大投射するものである。そして、スクリーンＳｃには、射出された光学像に基づく投射画像が表示される。
なお、図示は省略したが、プロジェクタ本体２は、光源ランプ１１３から射出される光をＲＧＢ（Red Green Blue）の３色の光に分離する色光分離光学装置を備えている。また、前述した液晶パネル１１２は、色光分離光学装置にて分離されたＲＧＢの３色に対応して設けられている。さらに、プロジェクタ本体２は、３色の光学像を合成してカラー画像を表す光学像を生成する合成光学装置を備えている。
【００３１】
音場調整手段１２は、各スピーカ３４１，３４２，３６１，３６２による音場を調整するものであり、音声処理部１２１と、アンプ１２２と、放音方向変更部１２３とを備える。
音声処理部１２１は、例えば、ＤＳＰ（Digital Signal Processor）等を含んで構成され、記録媒体に記録された音声情報を処理する。具体的に、音声処理部１２１は、記録媒体に記録された音声情報に基づいて、使用者に対するスピーカの位置に応じた各音声情報を別々に処理する。なお、各音声情報は、使用者の左前側にあるスピーカから音声を出力するためのフロントレフト用音声情報と、使用者の右前側にあるスピーカから音声を出力するためのフロントライト用音声情報と、使用者の左後側にあるスピーカから音声を出力するためのリアレフト用音声情報と、使用者の右後側にあるスピーカから音声を出力するためのリアライト用音声情報とにより構成されている。
【００３２】
また、音声処理部１２１は、各音声情報に対して信号処理をすることで、音質および位相の調整処理を実施する。そして、処理された各音声情報を、別々の信号線を介して接続された各スピーカ３４１，３４２，３６１，３６２に対して出力する。ここで、各音声情報に対する音質および位相の調整量、および各音声情報を各スピーカ３４１，３４２，３６１，３６２のいずれに出力するかは後述する制御手段１４による制御の下に定められる。
【００３３】
アンプ１２２は、音声処理部１２１にて処理された各音声情報を、後述する制御手段１４による制御の下に定められる増幅率で増幅して出力することで、各スピーカ３４１，３４２，３６１，３６２から出力される音声の音量を調整する。すなわち、アンプ１２２は、音声処理部１２１にて処理された各音声情報を信号処理することで、各スピーカ３４１，３４２，３６１，３６２から出力される音声の音量を調整する。
放音方向変更部１２３は、各スピーカ３４１，３４２，３６１，３６２に、それぞれ接続された図示しないモータにより構成され、モータを駆動することで各スピーカ３４１，３４２，３６１，３６２の姿勢を変更して各スピーカ３４１，３４２，３６１，３６２から出力される音声の放音方向を変更する。なお、モータの駆動方向および駆動量、すなわち、各スピーカ３４１，３４２，３６１，３６２から出力される音声の放音方向は、後述する制御手段１４による制御の下に定められる。
【００３４】
記憶手段１３は、プロジェクタの設置位置に係る設置位置情報と、各スピーカ３４１，３４２，３６１，３６２による音場を調整するための音場調整情報とを関連づけて記憶する。
ここで、設置位置情報は、プロジェクタ１の設置位置と、プロジェクタの使用者の位置との相対位置に係る相対位置情報により構成されている。そして、この相対位置情報は、使用者が操作パネル２３を操作することで入力される。すなわち、操作パネル２３は、設置位置情報を入力可能に構成されている。
また、音場調整情報は、前述した音声処理部１２１、アンプ１２２、および放音方向変更部１２３への制御量に係る情報により構成されている。
【００３５】
制御手段１４は、例えば、ＣＰＵ（Central Processing Unit）等を含んで構成され、プロジェクタ１全体を制御する。この制御手段１４は、設置位置情報取得部１４１と、音場調整情報取得部１４２と、音場制御部１４３とを備える。
設置位置情報取得部１４１は、操作パネル２３にて入力される相対位置情報を取得する。
音場調整情報取得部１４２は、設置位置情報取得部１４１により取得される相対位置情報に関連付けられた音場調整情報を記憶手段１３から取得する。
音場制御部１４３は、音場調整情報取得部１４２により取得される音場調整情報に基づいて、各スピーカ３４１，３４２，３６１，３６２による音場を音場調整手段１２に調整させる。
【００３６】
〔プロジェクタの音場調整処理〕
図４は、プロジェクタ１の音場調整処理を示すフローチャートである。
プロジェクタ１は、電源ボタンが押下されると、画像情報に応じて形成された光学像をスクリーンＳｃに向けて拡大投射するとともに、以下の音場調整処理を実行する。
まず、設置位置情報取得部１４１は、使用者に相対位置情報を入力させるための入力画面に係る画像情報を生成し、生成した画像情報を液晶パネル１１２に出力する（ステップＳ１：入力画面表示ステップ）。
【００３７】
ここで、図５は、設置位置情報取得部１４１により生成される入力画面の一例を示す図である。
入力画面４は、プロジェクタ１の設置位置と、使用者の位置との相対位置に係る相対位置情報を、操作パネル２３を介して入力させるための画面であり、図５に示すように、スクリーンを示すスクリーン絵柄４１が入力画面４の上方側に配置され、このスクリーン絵柄４１の下方側にプロジェクタを示すプロジェクタ絵柄４２が配置されている。すなわち、この入力画面４においては、プロジェクタの投射方向は上方側であることを示している。そして、プロジェクタ絵柄４２の周囲には、プロジェクタ１の設置位置に対する使用者の位置を選択するための設置位置選択用絵柄４３が配置されている。この設置位置選択用絵柄４３は、操作パネル２３が操作されることにより、１〜８のいずれかの数字が付された領域を選択可能に構成されている。
【００３８】
設置位置情報取得部１４１は、図４に示すように、使用者の操作入力により設置位置選択用絵柄４３のいずれかの領域が選択されると、選択された領域に応じて操作パネル２３から出力される操作信号に基づいて、相対位置情報を取得する（ステップＳ２：相対位置情報取得ステップ）。なお、本実施形態では、設置位置情報取得ステップは、相対位置情報取得ステップＳ２により構成されている。
相対位置情報取得ステップＳ２にて相対位置情報が取得されると、音場調整情報取得部１４２は、この相対位置情報に関連付けられた音場調整情報を記憶手段１３から取得する（ステップＳ３：音場調整情報取得ステップ）。
【００３９】
表１は、設置位置選択用絵柄４３の数字６が表示されている領域が選択された場合において、音場調整情報取得部１４２により取得される音場調整情報の概念を示す表である。
【００４０】
【表１】
2009027345.tif 000003
【００４１】
使用者の操作入力により設置位置選択用絵柄４３の数字６が表示されている領域が選択されると、音場調整情報取得部１４２は、表１に示すような音場調整情報を取得する。
表１においては、音場調整手段１２にて調整可能な音量、サラウンド、放音方向、イコライジング（音質）、およびタイムアラインメント（位相）の各調整項目を縦方向に示し、音場調整手段１２の調整対象となる各スピーカ３４１，３４２，３６１，３６２を横方向に示している。なお、サラウンドは、音声処理部１２１にて各音声情報を各スピーカ３４１，３４２，３６１，３６２のいずれに出力するかを示す情報である。
【００４２】
以下、各音場調整情報を、どのように定めているかについて詳述する。
音量に係る情報は、使用者との距離が遠いスピーカから出力される音声の音量を、使用者との距離が近いスピーカから出力される音声の音量と比較して大きくするように定められる。表１においては、ＰはＱよりも音量が大きくなるような値であり、αおよびβは、ＰまたはＱに加算されることにより音量が大きくなるような値である。なお、表１においては、説明のために音量の調整値を単位Ｗ（ワット）で表しているが、実際には、音量の調整値は、アンプ１２２の増幅率の調整値として記憶手段１３に記憶される。
【００４３】
サラウンドに係る情報は、使用者の左前側（フロントレフト）、右前側（フロントライト）、左後側（リアレフト）、右後側（リアライト）にあるスピーカに、それぞれフロントレフト用音声情報、フロントライト用音声情報、リアレフト用音声情報、およびリアライト用音声情報を出力するように定められる。具体的に、表１の場合には、スピーカ３４１は、使用者の左後側の位置にあるスピーカであるので、リアレフト用音声情報が入力されるような値が定められ、スピーカ３４２は、使用者の右後側の位置にあるスピーカであるので、リアライト用音声情報が入力されるような値が定められる。また、スピーカ３６１は、使用者の左前側の位置にあるスピーカであるので、フロントレフト用音声情報が入力されるような値が定められ、スピーカ３６２は、使用者の右前側の位置にあるスピーカであるので、フロントライト用音声情報が入力されるような値が定められる。
【００４４】
放音方向に係る情報は、使用者の前側の位置にあるスピーカから出力される音声の放音方向を使用者の居る方向に向け、使用者の後側の位置にあるスピーカから出力される音声の放音方向を上方向（鉛直上方向）に向けるように定められる。具体的に、表１の場合には、スピーカ３４１，３４２は、使用者の後側の位置にあるスピーカであるので、放音方向が上４５度の方向に変更されるような調整値が定められ、スピーカ３６１，３６２は、使用者の前側の位置にあるスピーカであるので、放音方向が左４５度、すなわち、使用者の居る方向に変更されるような調整値が定められる。
【００４５】
イコライジングに係る情報は、使用者との距離が遠いスピーカから出力される音声の高音域のゲインを、使用者との距離が近いスピーカから出力される音声の高音域のゲインと比較して大きくするように定められる。表１においては、ｓＧＡＩＮはｔＧＡＩＮよりもゲインが大きくなるような値であり、ｍおよびｎは、ｓＧＡＩＮまたはｔＧＡＩＮに加算されることによりゲインが大きくなるような値である。
タイムアラインメントに係る情報は、使用者との距離が近いスピーカから出力される音声の位相を、使用者との距離が遠いスピーカから出力される音声の位相と比較して遅らせるように定められる。表１においては、ｑはｐよりも位相が遅れるような値であり、ｘおよびｙは、ｐまたはｑに加算されることにより位相が遅れるような値である。
【００４６】
なお、実際には、音場調整情報は、前述の概念の下、音声処理部１２１による各音声情報に対する音質および位相の調整量、および各音声情報を各スピーカ３４１，３４２，３６１，３６２のいずれに出力するかに係る情報と、アンプ１２２による各音声情報の増幅率に係る情報と、放音方向変更部１２３による各スピーカ３４１，３４２，３６１，３６２から出力される音声の放音方向に係る情報とにより構成されている。
【００４７】
音場調整情報取得ステップＳ３にて音場調整情報が取得されると、音場制御部１４３は、この音場調整情報に基づいて、各スピーカ３４１，３４２，３６１，３６２による音場を音場調整手段１２に調整させる（ステップＳ４：音場制御ステップ）。
以上のステップＳ１〜Ｓ４を実行することにより、プロジェクタ１の音場調整処理が実行される。
【００４８】
本実施形態に係るプロジェクタ１によれば、次のような効果がある。
（１）記憶手段１３には、使用者の居る場所に良好な音声が出力されるように、相対位置情報および音場調整情報が関連付けて記憶され、音場制御部１４３は、設置位置情報取得部１４１により取得された相対位置情報に関連付けられた音場調整情報に基づいて、各スピーカ３４１，３４２，３６１，３６２による音場を音場調整手段１２に調整させるので、使用者に快適な音場を提供することができる。
【００４９】
（２）設置位置情報取得部１４１は、使用者が操作パネル２３にて相対位置情報を入力することにより、相対位置情報を取得することができるので、プロジェクタ１の構成を簡素化することができ、製造コストを低減させることができる。
（３）設置位置情報は、相対位置情報により構成されるので、設置位置情報取得部１４１は、プロジェクタ１に対する使用者の位置を確実に取得することができる。したがって、音場制御部１４３は、使用者に更に快適な音場を提供することができる
【００５０】
〔第２実施形態〕
以下、本発明の第２実施形態に係るプロジェクタ１Ａについて説明する。
なお、以下の説明では、既に説明した部分については、同一符号を付してその説明を省略する。
前記第１実施形態に係るプロジェクタ１では、設置位置情報は、相対位置情報により構成されていたが、本実施形態に係るプロジェクタ１Ａでは、設置位置情報は、屋内空間情報、プロジェクタ位置情報、および使用者位置情報により構成されている点で異なる。
【００５１】
図６は、プロジェクタ１Ａの内部構成を示すブロック図である。
プロジェクタ１Ａは、図６に示すように、記憶手段１３Ａと、制御手段１４Ａと、操作パネル２３Ａとを備える。
記憶手段１３Ａは、プロジェクタ１Ａの設置位置に係る設置位置情報と、各スピーカ３４１，３４２，３６１，３６２による音場を調整するための音場調整情報とを関連づけて記憶する。
ここで、設置位置情報は、プロジェクタ１Ａが設置される屋内空間の形状および大きさに係る屋内空間情報と、この屋内空間におけるプロジェクタ１Ａの設置位置に係るプロジェクタ位置情報と、この屋内空間におけるプロジェクタ１Ａの使用者の位置に係る使用者位置情報とにより構成されている。そして、屋内空間情報、プロジェクタ位置情報、および使用者位置情報は、使用者が操作パネル２３Ａを操作することで入力される。すなわち、操作パネル２３Ａは、設置位置情報を入力可能に構成されている。
【００５２】
制御手段１４Ａは、設置位置情報取得部１４１Ａと、音場調整情報取得部１４２Ａを備える。
設置位置情報取得部１４１Ａは、操作パネル２３Ａにて入力される屋内空間情報、プロジェクタ位置情報、および使用者位置情報を取得する。
音場調整情報取得部１４２Ａは、設置位置情報取得部１４１Ａにより取得される屋内空間情報、プロジェクタ位置情報、および使用者位置情報に関連付けられた音場調整情報を記憶手段１３Ａから取得する。
【００５３】
図７は、プロジェクタ１Ａの音場調整処理を示すフローチャートである。
プロジェクタ１Ａは、電源ボタンが押下されると、画像情報に応じて形成された光学像をスクリーンＳｃに向けて拡大投射するとともに、以下の音場調整処理を実行する。
まず、設置位置情報取得部１４１Ａは、使用者に屋内空間情報を入力させるための第１入力画面に係る画像情報を生成し、生成した画像情報を液晶パネル１１２に出力する（ステップＳ１１：第１入力画面表示ステップ）。
【００５４】
ここで、図８は、設置位置情報取得部１４１Ａにより生成される第１入力画面の一例を示す図である。
第１入力画面５は、プロジェクタ１Ａが設置される屋内空間の形状および大きさに係る屋内空間情報を、操作パネル２３Ａを介して入力させるための画面である。この第１入力画面５は、図８（Ａ）に示すように、屋内空間、すなわち、プロジェクタ１が設置される部屋の形状を選択するための形状選択用絵柄５１が第１入力画面５の上方側に配置され、この形状選択用絵柄５１の下方側に部屋の大きさを確認するための大きさ確認部５２が配置されている。また、この大きさ確認部５２の下方側に部屋の高さを入力するための高さ入力部５３が配置され、この高さ入力部５３に高さの数値を入力するための数値入力部５４が高さ入力部５３の下方側に配置されている。
そして、形状選択用絵柄５１は、操作パネル２３Ａが操作されることにより、１〜３のいずれかの数字が付された部屋の形状を選択可能に構成され、数値入力部５４は、操作パネル２３Ａが操作されることにより、高さ入力部５３に高さの数値を入力可能に構成されている。
【００５５】
設置位置情報取得部１４１Ａは、使用者の操作入力により形状選択用絵柄５１のいずれかが選択されると、図８（Ｂ）に示すように、選択された部屋の形状に応じた部屋の大きさを確認部５２に表示させる。また、設置位置情報取得部１４１Ａは、使用者の操作入力により数値入力部５４が操作されると、図８（Ｂ）に示すように、入力された高さの数値を高さ入力部５３に表示させる。すなわち、高さ入力部５３には、数値入力部５４が操作されることにより、高さの数値が入力される。
そして、設置位置情報取得部１４１Ａは、使用者の操作入力により選択された部屋の形状と、部屋の高さとに応じて操作パネル２３から出力される操作信号に基づいて、屋内空間情報を取得する（ステップＳ１２：屋内空間情報取得ステップ）。
設置位置情報取得部１４１Ａは、屋内空間情報を取得すると、使用者にプロジェクタ位置情報、および使用者位置情報を入力させるための第２入力画面に係る画像情報を生成し、生成した画像情報を液晶パネル１１２に出力する（ステップＳ１３：第２入力画面表示ステップ）。
【００５６】
ここで、図９は、設置位置情報取得部１４１Ａにより生成される第２入力画面の一例を示す図である。
第２入力画面６は、プロジェクタ１Ａが設置される屋内空間におけるプロジェクタ１Ａの設置位置に係るプロジェクタ位置情報と、この屋内空間におけるプロジェクタ１Ａの使用者の位置に係る使用者位置情報とを、操作パネル２３Ａを介して入力させるための画面である。この第２入力画面６は、図９（Ａ）に示すように、スクリーンを示すスクリーン絵柄６１が第２入力画面６の上方側に配置され、このスクリーン絵柄６１の下方側にプロジェクタ１の設置位置および使用者の位置を選択するための設置位置選択用絵柄６２が配置されている。この設置位置選択用絵柄６２は、操作パネル２３が操作されることにより、１〜９のいずれかの数字が付された領域を選択可能に構成されている。なお、この設置位置選択用絵柄６２は、第１入力画面にて入力された部屋の形状に基づいて生成される。すなわち、本実施形態では、部屋の形状として８畳を選択しているので、略正方形状の設置位置選択用絵柄６２が生成されているが、例えば、部屋の形状として６畳が選択された場合には、略長方形状の設置位置選択用絵柄が生成される。
【００５７】
設置位置情報取得部１４１Ａは、使用者の操作入力により設置位置選択用絵柄６２のいずれかが最初に選択されると、図９（Ｂ）に示すように、プロジェクタ絵柄６３を選択された領域に表示させるとともに、選択された領域に応じて操作パネル２３から出力される操作信号に基づいて、プロジェクタ位置情報を取得する。また、設置位置情報取得部１４１Ａは、使用者の操作入力により設置位置選択用絵柄６２のいずれかが次に選択されると、図９（Ｂ）に示すように、使用者絵柄６４を選択された領域に表示させるとともに、選択された領域に応じて操作パネル２３から出力される操作信号に基づいて、使用者位置情報を取得する（ステップＳ１４：プロジェクタ位置・使用者位置情報取得ステップ）。なお、本実施形態では、設置位置情報取得ステップは、屋内空間情報取得ステップＳ１２およびプロジェクタ位置・使用者位置情報取得ステップＳ１４により構成されている。
【００５８】
プロジェクタ位置・使用者位置情報取得ステップＳ１４にてプロジェクタ位置情報および使用者位置情報が取得されると、音場調整情報取得部１４２Ａは、この屋内空間情報、プロジェクタ位置情報、および使用者位置情報に関連付けられた音場調整情報を記憶手段１３Ａから取得する（ステップＳ１５：音場調整情報取得ステップ）。
音場調整情報取得ステップＳ１５にて音場調整情報が取得されると、音場制御部１４３は、この音場調整情報に基づいて、各スピーカ３４１，３４２，３６１，３６２による音場を音場調整手段１２に調整させる（ステップＳ１６：音場制御ステップ）。
以上のステップＳ１１〜Ｓ１６を実行することにより、プロジェクタ１Ａの音場調整処理が実行される。
【００５９】
このような本実施形態においても、前記第１実施形態と同様の作用効果を奏することができる他、以下の作用効果をも奏することができる。
すなわち、設置位置情報は、屋内空間情報と、プロジェクタ位置情報と、使用者位置情報とにより構成されるので、音場制御部１４３Ａは、例えば、屋内空間における壁などに反射する音声をも考慮して音場を音場調整手段１２に調整させることができ、使用者に更に快適な音場を提供することができる。
【００６０】
〔実施形態の変形〕
なお、本発明は前記各実施形態に限定されるものではなく、本発明の目的を達成できる範囲での変形、改良等は本発明に含まれるものである。
前記各実施形態では、プロジェクタ１，１Ａは、４つのスピーカ３４１，３４２，３６１，３６２から構成されるサラウンドシステムを備えていたが、２つのスピーカから構成されるステレオシステムを備えていてもよく、さらには、５つ以上のスピーカから構成されるサラウンドシステムを備えていてもよい。要するに、複数のスピーカを備えるプロジェクタであればよい。
【００６１】
前記各実施形態では、設置位置情報取得部１４１，１４１Ａは、操作パネル２３，２３Ａにて入力される設置位置情報を取得するように構成されていたが、例えば、センサなどを用いて自動的に設置位置情報を取得するように構成してもよい。要するに、設置位置情報取得部は、プロジェクタの設置位置に係る設置位置情報を取得するように構成されていればよい。
前記各実施形態では、設置位置情報は、相対位置情報、屋内空間情報、プロジェクタ位置情報、使用者位置情報により構成されていたが、これ以外の情報により構成されていてもよい。要するに、設置位置情報は、プロジェクタの設置位置に係る情報であればよい。
【００６２】
前記各実施形態では、音場調整手段１２は、音声処理部１２１と、アンプ１２２と、放音方向変更部１２３とを備え、各スピーカ３４１，３４２，３６１，３６２から出力される音声の音量、音質、および位相の調整、各スピーカ３４１，３４２，３６１，３６２に入力される音声情報の切り替え、並びに各スピーカ３４１，３４２，３６１，３６２から出力される音声の放音方向の変更をしていたが、例えば、各スピーカの位置を動かす等、これら以外の調整をすることにより、複数のスピーカによる音場を調整するようにしてもよい。
【００６３】
前記第２実施形態では、設置位置情報取得部１４１Ａは、部屋の形状を選択させることにより、屋内空間の形状および大きさに係る屋内空間情報を取得するように第１入力画面５を生成していたが、例えば、部屋の縦横の長さ寸法を直接入力させるように第１入力画面を生成してもよい。要するに、第１入力画面は、屋内空間の形状および大きさに係る屋内空間情報を取得するように生成すればよい。
前記実施形態では、透過型の液晶パネル１１２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００６４】
本発明は、プロジェクタに利用でき、特に、複数のスピーカを備えるプロジェクタに好適に利用することができる。
【図面の簡単な説明】
【００６５】
【図１】第１実施形態におけるプロジェクタを前方側から見た斜視図。
【図２】前記実施形態におけるプロジェクタを後方側から見た斜視図。
【図３】前記実施形態におけるプロジェクタの内部構成を示すブロック図。
【図４】前記実施形態におけるプロジェクタの音場調整処理を示すフローチャート。
【図５】前記実施形態における設置位置情報取得部により生成される入力画面の一例を示す図。
【図６】第２実施形態におけるプロジェクタの内部構成を示すブロック図。
【図７】前記実施形態におけるプロジェクタの音場調整処理を示すフローチャート。
【図８】前記実施形態における設置位置情報取得部により生成される第１入力画面の一例を示す図。
【図９】前記実施形態における設置位置情報取得部により生成される第２入力画面の一例を示す図。
【符号の説明】
【００６６】
１，１Ａ…プロジェクタ、１２…音場調整手段、１３，１３Ａ…記憶手段、１４，１４Ａ…制御手段、２２…投射レンズ（投射光学装置）、２３，２３Ａ…操作パネル（操作手段）、１１２…液晶パネル（光変調装置）、１４１，１４１Ａ…設置位置情報取得部、１４２，１４２Ａ…音場調整情報取得部、１４３…音場制御部、３４１，３４２，３６１，３６２…スピーカ、Ｓ２…相対位置情報取得ステップ（設置位置情報取得ステップ）、Ｓ１２…屋内空間情報取得ステップ（設置位置情報取得ステップ）、Ｓ１４…プロジェクタ位置・使用者位置情報取得ステップ（設置位置情報取得ステップ）、Ｓ３，Ｓ１５…音場調整情報取得ステップ、Ｓ４，Ｓ１６…音場制御ステップ。
【図１】
2009027345.tif 000004
【図２】
2009027345.tif 000005
【図３】
2009027345.tif 000006
【図４】
2009027345.tif 000007
【図５】
2009027345.tif 000008
【図６】
2009027345.tif 000009
【図７】
2009027345.tif 000010
【図８】
2009027345.tif 000011
【図９】
2009027345.tif 000012